(57)【要約】【課題】通信が正常にできたかどうかの判断を、センタ局に問い合わせできるようにし、また、通信途中で通信異常が発生した際、すぐにわかるようにしたことを目的とする。【解決手段】気、ガス、水道などの使用量を計測するメータ１と、前記メータ１の状態データを収集するデータ収集センタ４と、前記メータ１から送信される状態データを受信して前記データ収集センタ４に転送し、その後、前記データ収集センタ４から送信されてくる状態データ受信確認信号を受信して前記メータ１へ転送する無線装置２と、前記メータ１とデータ収集センタ４間の通信結果を報知する通信結果報知機能部とを具備したもので、メータ１が行う通信結果や送信信号や受信信号、或いは送信電文や受信電文は、通信結果報知機能部となるメータ表示部５や、無線表示部８で表示することができる。【選択図】図１
2009129064.tif 000002
【特許請求の範囲】
【請求項１】
電気、ガス、水道などの使用量を計測するメータと、前記メータの状態データを収集するデータ収集センタと、前記メータから送信される状態データを受信して前記データ収集センタに転送し、その後、前記データ収集センタから送信されてくる状態データ受信確認信号を受信して前記メータへ転送する無線装置と、前記メータとデータ収集センタ間の通信結果を報知する通信結果報知機能部とを具備した無線検針システム。
【請求項２】
通信結果報知機能部をメータに配設した請求項１記載の無線検針システム。
【請求項３】
無線装置に通信結果を報知する無線表示部を設けた請求項１記載の無線検針システム。
【請求項４】
メータの各スイッチの組み合わせ起動により、メータとデータ収集センタ間までの通信経路が選択できる機能を備えた請求項１記載の無線検針システム。
【発明の詳細な説明】
【技術分野】
【０００１】
本発明はガス、電気、水道等の使用量を無線通信により自動的に検針可能な無線検針システムに関するものである。
【背景技術】
【０００２】
従来、この種の無線検針システムは、ガス使用量を検針するメータと、そのメータに接続された無線装置と、無線装置と通信可能な基地局と、基地局で受信した検針データを収集するセンタ局とから構成されていた。
【０００３】
メータで検針された検針データは無線装置を介して基地局へ送信される。そして、検針データを受信した基地局はセンタ局へデータを送信することによって、センタ局では検針データ収集が可能となる（例えば、特許文献１、２参照）。
【０００４】
また、メータには異常状態（災害やガス漏れといった致命的な状態）を検知するセンサが備え付けられているものもある。例えば、そのセンサが異常状態としてガス漏れを検知すると、遮断弁を駆動させてガスの流量を遮断するとともに、センタ局に遮断した旨を通報していた（例えば、特許文献３参照）。
【特許文献１】特開２００２−１７１３５６号公報
【特許文献２】特開２００１−３１９２８５号公報
【特許文献３】特開２０００−３２１１０９号公報
【発明の開示】
【発明が解決しようとする課題】
【０００５】
ところで、上記従来の技術として挙げた無線検針システムを、設置作業した際に、開通テストを行うことになっているが、設置作業者はメータのテストスイッチを起動することにより、無線装置はメータから送信されるメータ状態を示すデータを受信すると受信したデータをセンタ局に転送し、そのセンタ局から送信されてくる状態データ受信確認信号を受信してメータへ転送するだけであった。
【０００６】
そのため、設置作業者は、通信が正常にできたかどうかの判断を、センタ局に問い合わせする必要があった。また、通信途中で通信異常が発生した際、異常が発生したことがすぐにわかりにくかった。
【０００７】
本発明は上記課題を解決するもので、設置作業者が、無線システムを設置後、開通テストが正常にできたかどうかの判断を、センタ局に問い合わせしなくとも、確認することが可能で、通信異常が発生した際は、即座に異常が発生したことを知らせる無線検針システムを提供するものである。
【課題を解決するための手段】
【０００８】
前記従来の課題を解決するために、本発明の無線検針システムは、ガスなどの使用量を計測するメータと、前記メータの状態データを収集するデータ収集センタと、前記メータから送信される状態データを受信して前記データ収集センタに転送し、その後、前記データ収集センタから送信されてくる状態データ受信確認信号を受信して前記メータへ転送する無線装置と、前記メータとデータ収集センタ間の通信結果を報知する通信結果報知機能部とを具備したもので、無線システムを設置後、開通テストが正常にできたかどうかの判断をセンタ局に問い合わせしなくともすぐに確認できるようにしたものである。
【発明の効果】
【０００９】
本発明の無線検針システムは、無線検針システムを設置作業し、開通テストを行うとき、設置作業者がメータのテストスイッチを起動することにより、無線装置はメータから送信されるメータ状態を示すデータを受信すると受信したデータをデータ収集センタ局に転送し、そのセンタ局から送信されてくる状態データ受信確認信号を受信してメータへ転送するとともに、メータ装置とデータ収集センタ間の通信結果を通信結果報知機能部で報知することができる。
【００１０】
したがって、データ収集センタ局に通信結果を問い合わせる必要がなく、通信が途中で異状になった場合でもその状態を即座に知ることがでできるので、施工の効率アップとなる。
【発明を実施するための最良の形態】
【００１１】
第１の発明は、電気、ガス、水道などの使用量を計測するメータと、前記メータの状態データを収集するデータ収集センタと、前記メータから送信される状態データを受信して前記データ収集センタに転送し、その後、前記データ収集センタから送信されてくる状態データ受信確認信号を受信して前記メータへ転送する無線装置と、前記メータとデータ収集センタ間の通信結果を報知する通信結果報知機能部とを具備したものである。
【００１２】
これによれば、設置作業者が、無線システムを設置後、開通テストが正常にできたかどうかの判断を、センタ局に問い合わせしなくとも、無線システム端末により確認することができる。
【００１３】
第２の発明は、前記第１の発明の通信結果報知機能部をメータに配設したもので、これによれば、設置作業者は、メータ装置の表示を監視することで、通信が成功したか失敗したかを、データ収集センタに問い合わせることなく判断することができる。
【００１４】
第３の発明は、前記第１の発明の通信結果報知機能部を無線装置に配設したもので、設置作業者は、無線装置の表示を監視することで、通信が成功したか失敗したかを、データ収集センタに問い合わせることなく判断することができる。
【００１５】
第４の発明は、前記第１の発明において、メータの各スイッチの組み合わせ起動により、メータとデータ収集センタ間までの通信経路が選択できる機能を備えたものである。
【００１６】
これによれば、設置作業者は、無線システム設置後、開通テストで、通信が異常となった場合、通信経路を変更して通信テストを行うことで、通信が異常となる箇所を特定することができる。
【００１７】
以下、本発明の実施の形態について、図面を参照しながら説明する。なお、この実施の形態によって本発明が限定されるものではない。
【００１８】
（実施の形態１）
図１において、家屋に設置されているガスメータなどのメータ１による検針、および異常データを同メータ１に設置した無線装置２が基地局３を介してデータ収集センタ４に送信するようにしたものである。
【００１９】
ガス事業者は、データ収集センタ４に収集されたデータを集中して監視することにより、検針作業の効率化や、異常発生時のメンテナンスを効率よく行うことができる。
【００２０】
また、メータ１が行う通信結果や送信信号や受信信号、あるいは送信電文や受信電文は
、通信結果報知機能部となるメータ表示部５で表示するようにしてある。
【００２１】
このメータ表示部５では、通信結果のＯＫやＮＧを表示するだけでなく、送受信信号の送信中や受信中を表示したり、メータ１が送信した電文や受信した電文に関しては、検針値を表示させる箇所を兼用して、通信中はＪＩＳ７の形式で電文を表示するようにしている。
【００２２】
そして、このメータ表示部５は、メータ１の検針値など表示する箇所を兼用しており、通信中と通信終了後、一定時間は通信結果や送受信電文表示を行うようになっている。
【００２３】
また、無線装置２は送受信部６、制御部７、無線表示部８を備え、メータ１から送られたメータ状態データは制御部７で受信され、そのメータ状態データを送受信部６によりデータ収集センタ４へ送信する。
【００２４】
無線装置２が行う通信結果や送信信号や受信信号、あるいは送信電文や受信電文は、液晶表示が付いた無線表示部８で表示することができる。
【００２５】
前記送信した電文や受信した電文に関しては、ＪＩＳ７の形式で、無線表示部８で表示するようにしている。
【００２６】
以上のように構成された無線検針システムにおいて、以下その動作（通信形態）を説明する。
【００２７】
先ず、通信の動作について図２とともに説明する。まず、テストスイッチで起動を受けたメータ１は、状態データ信号の報知要求信号（Ｔ４１）を無線装置２へ送信するとともに、メータ表示部５で報知要求信号（Ｔ４１）したことを表示する。
【００２８】
無線装置２がメータ１から送られたメータ状態データを受信すると、受信結果を無線表示部８に表示する。
【００２９】
そして、報知要求信号Ｔ４１を受けた無線装置２は、基地局３に向けて状態データ信号Ｔ４２を無線信号にて送出する。
【００３０】
次に、基地局３は有線または無線回線で接続されたデータ収集センタ４へ状態データ信号Ｔ４３を転送する。
【００３１】
ここで、状態データ信号Ｔ４３を受信したデータ収集センタ４は、基地局３へ受信確認信号Ｔ４４を送信する。
【００３２】
無線基地局３が受信確認信号Ｔ４４を受信するとデータ収集センタ４との接続を切断し、無線装置２に受信確認信号Ｔ４４と同様の受信確認信号Ｔ４５を転送する。
【００３３】
無線装置２は、無線基地局３から送られてきたメータ状態データの受信確認信号を無線表示部８に表示する。
【００３４】
さらに、無線装置２はメータ１に受信確認信号Ｔ４５と同様の受信確認信号Ｔ４６を送出し、これを受信したメータ１は通信が成功したため、報知要求が完了したと判断するとともに、無線装置２から送られてきたメータ状態データの受信確認信号Ｔ４５をメータ表示部５に表示する。
【００３５】
また、図２では示していないが、メータ１において所定時間の間に状態受信信号Ｔ４６が受信されない場合、メータ表示部５では通信異常の表示を行い、予め定められる時間後に再度無線装置２に状態データ信号の報知要求信号Ｔ４１を送信する。
【００３６】
以上のように、設置作業者は、無線システムを設置後、メータに起動をかけ、開通テストをすると、通信結果をメータ１のメータ表示部５や無線装置２の無線表示部８に表示させることで、設置作業者は、無線システムを設置後、開通テストが正常にできたかどうかの判断を、センタ局に問い合わせしなくとも、無線システム端末により確認することができる。
【００３７】
また、通信中もリアルタイムにメータ表示部５や無線表示部８で通信状態や電文を確認することができるので、これまでは別装置で用意しなければならなかった通信モニタも不要になる。
【００３８】
さらに、通信が途中で異状になった場合でもその状態を即座に知ることができるので、施工の効率アップとなる。
【００３９】
次に、無線装置２で折り返す通信経路選択時の動作について図３とともに説明する。
【００４０】
メータ１は、テストスイッチの起動で遮断させた後、一定時間内に復帰スイッチで起動をかけた場合は、無線装置２で折り返す通信経路を選択されたことが判別できるような状態データ信号の報知要求信号Ｔ４７を送信するようになっている。
【００４１】
メータ１が状態データ信号の報知要求信号Ｔ４７を無線装置２へ送信すると、無線装置２では、メータ１から送られた状態データ信号の報知要求信号の受信結果を無線表示部８に表示する。
【００４２】
そして、無線装置２は、無線基地局３に送信することなく、メータ１に送るメータ状態データの受信確認信号を無線表示部８に表示して、すぐにメータ１に受信確認信号Ｔ４８を送出する。
【００４３】
これを受信したメータ１は、無線装置２から送られてきたメータ状態データの受信確認信号を無線表示部８に表示し、通信終了となる。
【００４４】
図３では示していないが、メータ１が所定時間の間に状態受信信号Ｔ４８が受信されない場合、メータ表示部５では通信異常の表示を行い、予め定められる時間後に再度無線装置２に状態データ信号の報知要求信号Ｔ４７を送信する。
【００４５】
以上のように、設置作業者は、無線システム設置後、開通テストで、通信が異常となった場合、メータのスイッチの組み合わせでメータに起動をかけることで、メータに新たにスイッチを設けることなく、通信経路を変更して通信テストを行うことが可能となる。
【００４６】
また、有線通信区間が異常なのか、無線区間が異常なのかの切り分けが容易にできるので、通信が異常となる箇所を特定することができる。
【００４７】
なお、メータ表示部５や無線表示部８では、通信結果や送信信号や受信信号あるいは送信電文や受信電文を液晶表示しても、或いは液晶表示の変わりにLEDにして、連続点灯や点滅パターンの組み合わせで、通信結果を報知させるようにしてもよい。
【産業上の利用可能性】
【００４８】
以上のように、本発明にかかる無線検針システムは、ガスメータに限らず電気、水道その他の流量を計測する計測メータ装置に適用できるものである。また、無線と有線の両方を必要としない通信システムでは、無線通信だけあるいは、有線通信だけでも適用できる。
【図面の簡単な説明】
【００４９】
【図１】本発明の実施の形態１を示すの無線検針システムの概略構成図
【図２】開通テストの通信シーケンス図
【図３】無線装置折り返しの通信シーケンス図
【符号の説明】
【００５０】
１  メータ
２  無線装置
３  基地局
４  データ収集センタ
５  メータ表示部
６  送受信部
７  制御部
８  無線表示部
【図１】
2009129064.tif 000003
【図２】
2009129064.tif 000004
【図３】
2009129064.tif 000005